(57)【要約】【課題】所望のインキとの密着性が高く、各種カードにも好適に使用できる植物由来シートを提供する。【解決手段】植物由来シート１０は、植物を原料として用いた植物由来基材１１と、植物由来基材１１の両面又は片面に塗工され、所望のインキとの密着性を高めるアンカー層１２−１，１２−２と、アンカー層１２−１，１２−２に密着し、印刷用インキからなる印刷層１３−１，１３−２等とを備え、植物由来基材１１がポリ乳酸からなる場合には、アンカー層１２−１，１２−２は、その主成分が塩化ビニル−酢酸ビニル共重合体、ポリウレタン、ポリ乳酸、ポリエステルのいずれかであるアンカー剤である。【選択図】図１
2005313507.tif 000002
【特許請求の範囲】
【請求項１】
植物を原料として用いた植物由来基材と、
前記植物由来基材の両面又は片面に塗工され、所望のインキとの密着性を高めるアンカー層と、
を備えた植物由来シート。
【請求項２】
請求項１に記載の植物由来シートにおいて、
前記アンカー層に形成され、インクジェットインキ及び印刷用インキを受容するための受容層をさらに備えた植物由来シート。
【請求項３】
請求項１又は請求項２に記載の植物由来シートにおいて、
前記アンカー層に密着し、印刷用インキからなる印刷層をさらに備えた植物由来シート。
【請求項４】
請求項１から請求項３までのいずれか１項に記載の植物由来シートにおいて、
前記植物由来基材は、ポリ乳酸からなること、
を特徴とする植物由来シート。
【請求項５】
請求項４に記載の植物由来シートにおいて、
前記アンカー層は、その主成分が塩化ビニル−酢酸ビニル共重合体、ポリウレタン、ポリ乳酸、ポリエステルのいずれかであるアンカー剤であること、
を特徴とする植物由来シート。
【請求項６】
請求項５に記載の植物由来シートにおいて、
前記アンカー層は、前記塩化ビニル−酢酸ビニル共重合体を、質量％で、１０〜８０ｗｔ％含有すること、
を特徴とする植物由来シート。
【請求項７】
請求項５に記載の植物由来シートにおいて、
前記アンカー層は、前記ポリウレタンを、質量％で、１０〜８０ｗｔ％含有すること、
を特徴とする植物由来シート。
【請求項８】
請求項５に記載の植物由来シートにおいて、
前記アンカー層は、前記ポリ乳酸を、質量％で、１０〜８０ｗｔ％含有すること、
を特徴とする植物由来シート。
【請求項９】
請求項５に記載の植物由来シートにおいて、
前記アンカー層は、前記ポリエステルを、質量％で、１０〜８０ｗｔ％含有すること、
を特徴とする植物由来シート。
【請求項１０】
請求項４に記載の植物由来シートにおいて、
前記アンカー層は、塩化ビニル−酢酸ビニル共重合体、ポリウレタン、ポリ乳酸、ポリエステルのうち少なくとも２つを含有すること、
を特徴とする植物由来シート。
【発明の詳細な説明】
【技術分野】
【０００１】
本発明は、植物を原料として用いた植物由来基材からなる植物由来シートに関するものである。
【背景技術】
【０００２】
近年、プラスチックシートに代わるシートとして、植物を原料として用いた、いわゆる植物由来シートが知られている（例えば、特許文献１）。
特許文献１は、乳酸系樹脂とセルロース系樹脂とを積層することにより、室温での剛性、耐熱性、耐衝撃性、さらに透明性に優れた植物由来シートを開示している。
【０００３】
また、植物由来シートは、例えば、脂肪族ポリエステル、ポリアミノ酸類、ポリビニルアルコール、セルロース等の植物由来系のフィルム等から形成されており、塩化ビニルやＰＥＴフィルム等のプラスチックのものと比べて、地中、水中に廃棄された場合に、微生物の働きで無害な分解物（例えば、水、炭酸ガス）に分解される点、焼却された場合に、有毒ガスを発生しない点等の利点がある。このため、この植物由来シートを、各種カード（例えば、プリペイドカード、スクラッチカード、健康保険証等）の基材として用いることが求められていた。
【０００４】
しかし、特許文献１に記載された植物由来シートは、印刷用インキとの密着性が悪く、その表面上に所望の印刷を施すことが困難であった。その結果、植物由来シートは、例えば、包装材料、食品容器等に用いられるだけで用途が限定されていた。
【０００５】
【特許文献１】特開２００２−２１０８６９号公報
【発明の開示】
【発明が解決しようとする課題】
【０００６】
本発明の課題は、所望のインキとの密着性が高く、各種カードにも好適に使用できる植物由来シートを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、植物を原料として用いた植物由来基材（１１）と、前記植物由来基材（１１）の両面又は片面に塗工され、所望のインキとの密着性を高めるアンカー層（１２−１，１２−２）と、を備えた植物由来シートである。
【０００８】
請求項２の発明は、請求項１に記載の植物由来シートにおいて、前記アンカー層（１２−１，１２−２）に形成され、インクジェットインキ及び印刷用インキを受容するための受容層（１４−１，１４−２）をさらに備えた植物由来シートである。
【０００９】
請求項３の発明は、請求項１又は請求項２に記載の植物由来シートにおいて、前記アンカー層（１２−１，１２−２）に密着し、印刷用インキからなる印刷層（１３−１，１３−２）をさらに備えた植物由来シートである。
【００１０】
請求項４の発明は、請求項１から請求項３までのいずれか１項に記載の植物由来シートにおいて、前記植物由来基材（１１）は、ポリ乳酸からなること、を特徴とする植物由来シートである。
【００１１】
請求項５の発明は、請求項４に記載の植物由来シートにおいて、前記アンカー層（１２−１，１２−２）は、その主成分が塩化ビニル−酢酸ビニル共重合体、ポリウレタン、ポリ乳酸、ポリエステルのいずれかであるアンカー剤であること、を特徴とする植物由来シートである。
【００１２】
請求項６の発明は、請求項５に記載の植物由来シートにおいて、前記アンカー層（１２−１，１２−２）は、前記塩化ビニル−酢酸ビニル共重合体を、質量％で、１０〜８０ｗｔ％含有すること、を特徴とする植物由来シートである。
【００１３】
請求項７の発明は、請求項５に記載の植物由来シートにおいて、前記アンカー層（１２−１，１２−２）は、前記ポリウレタンを、質量％で、１０〜８０ｗｔ％含有すること、を特徴とする植物由来シートである。
【００１４】
請求項８の発明は、請求項５に記載の植物由来シートにおいて、前記アンカー層（１２−１，１２−２）は、前記ポリ乳酸を、質量％で、１０〜８０ｗｔ％含有すること、を特徴とする植物由来シートである。
【００１５】
請求項９の発明は、請求項５に記載の植物由来シートにおいて、前記アンカー層（１２−１，１２−２）は、前記ポリエステルを、質量％で、１０〜８０ｗｔ％含有すること、を特徴とする植物由来シートである。
【００１６】
請求項１０の発明は、請求項４に記載の植物由来シートにおいて、前記アンカー層（１２−１，１２−２）は、塩化ビニル−酢酸ビニル共重合体、ポリウレタン、ポリ乳酸、ポリエステルのうち少なくとも２つを含有すること、を特徴とする植物由来シートである。
【発明の効果】
【００１７】
本発明の植物由来シートは、（１）植物を原料として用いた植物由来基材の両面又は片面に、所望のインキとの密着性を高めるアンカー層を塗工したので、この植物由来シートの表面に、所望のインキを密着させることができる。
【００１８】
（２）アンカー層に形成され、インクジェットインキ及び印刷用インキを受容するための受容層をさらに備えたので、印刷用インキとの密着性をより高めることができ、植物由来シートを各種カード製品にも好適に使用することができる。
【００１９】
（３）アンカー層に密着し、印刷用インキからなる印刷層をさらに備えたので、この植物由来シートの表面に、各種情報（文字、図形、絵柄等）を印刷することができ、植物由来シートの用途を広げることができる。
【発明を実施するための最良の形態】
【００２０】
本発明は、所望のインキとの密着性が高く、各種カードにも好適に使用できる植物由来シートを提供するという目的を、植物を原料として用いた植物由来基材の両面又は片面に、所望のインキとの密着性を高めるアンカー層を塗工することによって実現する。
【実施例１】
【００２１】
以下、図面等を参照して、本発明の実施例について、さらに詳しく説明する。
図１は、本発明による植物由来シートの実施例１を模式的に示す断面図である。
植物由来シート１０は、例えば、植物由来基材１１と、アンカー層１２−１，１２−２と、印刷層１３−１，１３−２等とを備えている。
植物由来基材１１は、この植物由来シート１０の担体となる基材であって、植物を原料として用いている。植物由来基材１１は、例えば、ポリ乳酸からなり、とうもろこしを発酵させて重合させることにより生成される。
【００２２】
アンカー層１２−１，１２−２は、植物由来基材１１の両面又は片面に塗工され、所望のインキとの密着性を高めるためのものである。ここで、アンカー層１２−１，１２−２は、下地基材である植物由来基材１１に密着すると共に、所望のインキにも良好なものを選択する必要がある。
そこで、本発明者らは、鋭意研究を重ねた結果、植物由来基材１１がポリ乳酸からなる場合には、アンカー層１２−１，１２−２として、その主成分が塩化ビニル−酢酸ビニル共重合体、ポリウレタン、ポリ乳酸、ポリエステルのいずれかであるアンカー剤を用いることにより、インキの種類、植物由来基材１１の表面形状にかかわらず、この植物由来シート１０の表面に、所望のインキを密着させることができるという知見を得た。
【００２３】
以下、アンカー層１２−１，１２−２について具体的に説明する。
アンカー層１２−１，１２−２は、その主成分が塩化ビニル−酢酸ビニル共重合体である場合には、塩化ビニル−酢酸ビニル共重合体を、質量％で１０〜８０ｗｔ％、より好ましくは２０ｗｔ％含有しており、これにより、印刷密着性を高めることができる。
アンカー層１２−１，１２−２は、その主成分がポリウレタンである場合には、ポリウレタンを、質量％で１０〜８０ｗｔ％含有していることが好ましく、これにより、印刷密着性を高めることができる。
【００２４】
アンカー層１２−１，１２−２は、その主成分がポリ乳酸である場合には、ポリ乳酸を、質量％で１０〜８０ｗｔ％、より好ましくは４０ｗｔ％含有しており、これにより、印刷密着性を高めることができる。
アンカー層１２−１，１２−２は、その主成分がポリエステルである場合には、ポリエステルを、質量％で１０〜８０ｗｔ％、より好ましくは３０ｗｔ％含有しており、これにより、印刷密着性を高めることができる。
【００２５】
印刷層１３−１，１３−２は、例えば、アンカー層１２−１，１２−２に密着し、印刷用インキからなる層である。印刷層１３−１，１３−２には、固定情報（文字、図形、絵柄等）を印刷することができる。なお、固定情報の場合の印刷としては、オフセット印刷、シルク印刷、活板印刷等がある。
【００２６】
このように、植物由来シート１０によれば、地中、水中に廃棄された場合に、微生物の働きで無害な分解物（例えば、水、炭酸ガス）に分解される点、焼却された場合に、有毒ガスを発生しない点、等の利点に加え、植物由来シート１０に印刷用インキによる固定情報を印字することができ、例えば、プリペイドカード、カード化が進められている健康保険証等に適用することができる。
さらに、植物由来基材１１には、必ずしも印刷をする必要はないので、その場合には、印刷層１３−１，１３−２を設けなくてもよく、その結果、植物由来シート１０を包装材料、食品容器等だけでなく、ある程度厚みのある樹脂シートの代わりとして用いることができる。
【実施例２】
【００２７】
図２は、本発明による植物由来シートの実施例２を模式的に示す断面図である。なお、以下に示す各実施例では、上述した植物由来シート１０と同一部材については同一符号を付し、機能等の説明を適宜省略する。
植物由来シート１０Ａは、植物由来シート１０と比べると、アンカー層１２−１，１２−２の上側に、受容層１４−１，１４−２と、印字層１５−１，１５−２とを備えた点が異なる。
受容層１４−１，１４−２は、インクジェットインキ及び印刷用インキを受容するための層であって、インクジェットインキを吸収する機能を有しており、インクジェットプリンタ等により可変情報を印字することができる。
また、印字層１５−１，１５−２は、インクジェットプリンタ等により可変情報を印字できる層である。
印刷層１３−１，１３−２は、印字層１５−１，１５−２の上側に設けられており、固定情報だけでなく、プリンタ等による可変情報も印字することができる。なお、可変情報を印字するためのプリンタとしては、例えば、ドットインパクトプリンタ、サーマルプリンタ、サーマル転写プリンタ、インクジェットプリンタ、静電トナープリンタ等がある。
【００２８】
したがって、植物由来シート１０Ａによれば、受容層１４−１，１４−２を備えているので、印刷用インキとの密着性をより高めることができ、その結果、植物由来シート１０Ａを、顔写真等が印字されたカード製品にも好適に使用することができる。
【実施例３】
【００２９】
図３は、本発明による植物由来シートの実施例３を模式的に示す断面図である。
植物由来シート１０Ｂは、植物由来シート１０と比べると、印刷層１３−１の上側に、保護層１６と、剥離層１７と、スクラッチ層１８とを備えた点が異なる。
保護層１６は、下側の印刷層１３−１を保護するための層である。
剥離層１７は、スクラッチ層１８を剥離可能にする層である。
スクラッチ層１８は、例えば、擦ること等により脆弱に形成された最表面を除去して、秘密情報（文字データ、画像、コード、マーク等）を目視する、いわゆるスクラッチ可能な層である。
【００３０】
したがって、植物由来シート１０Ｂによれば、上述したスクラッチ層１８を備えているので、植物由来シート１０Ｂを、スクラッチ可能なスクラッチカードとして好適に使用することができる。
【００３１】
（変形例）
以上説明した実施例に限定されることなく、種々の変形や変更が可能であって、それらも本発明の均等の範囲内である。
上述したアンカー層１２−１，１２−２は、その主成分が塩化ビニル−酢酸ビニル共重合体、ポリウレタン、ポリ乳酸、ポリエステルのいずれかであるアンカー剤としたが、これに限られず、これらの化合物のうち少なくとも２つを含有してもよい。
【図面の簡単な説明】
【００３２】
【図１】本発明による植物由来シートの実施例１を模式的に示す断面図である。
【図２】本発明による植物由来シートの実施例２を模式的に示す断面図である。
【図３】本発明による植物由来シートの実施例３を模式的に示す断面図である。
【符号の説明】
【００３３】
１０，１０Ａ，１０Ｂ    植物由来シート
１１    植物由来基材
１２−１，１２−２    アンカー層
１３−１，１３−２    印刷層
１４−１，１４−２    受容層
１５−１，１５−２    印字層
１６    保護層
１７    剥離層
１８    スクラッチ層
【図１】
2005313507.tif 000003
【図２】
2005313507.tif 000004
【図３】
2005313507.tif 000005